(57)【要約】      （修正有）【課題】柱型の構築において、誰でも容易に墨出し作業を行うことができる、柱型用墨出し定規を提供する。【解決手段】並列定規１と、二重並列定規３と、を組み合わせてなり、並列定規１及び二重並列定規３は、それぞれ、一対の帯状の平行フレーム１１、３１と、平行フレーム１１、３１の両端に平行フレーム１１、３１に設ける一対の間隔保持材１３、３３と、からなり、並列定規１は、一対の平行フレーム１１に沿って摺動可能なスライダー２を有し、スライダー２には、並列定規１の平行フレーム１１と直交し、二重並列定規３の平行フレーム３１と嵌合可能な嵌合溝を有する。【選択図】図１
2020093329.tif 000002
【特許請求の範囲】
【請求項１】
柱型を構築する際の墨出しに用いる柱型用墨出し定規であって、
並列定規と、二重並列定規と、を組み合わせてなり、
前記並列定規及び前記二重並列定規は、それぞれ、一対の帯状の平行フレームと、前記平行フレームの両端に設ける一対の間隔保持材と、からなり、
前記並列定規は、一対の前記平行フレームに沿って摺動可能なスライダーを有し、
前記スライダーには、前記並列定規の前記平行フレームと直交し、前記二重並列定規の前記平行フレームと嵌合可能な嵌合溝を有することを特徴とする、柱型用墨出し定規。
【請求項２】
請求項１に記載の柱型用墨出し定規において、
前記二重並列定規の前記平行フレームは、それぞれ逆方向に撓ませることができる長尺の部材を重合して構成することを特徴とする、柱型用墨出し定規。
【請求項３】
請求項２に記載の柱型用墨出し定規において、
前記スライダーの前記嵌合溝は、前記スライダーの上面と下面に対称に設けることを特徴とする、柱型用墨出し定規。
【発明の詳細な説明】
【技術分野】
【０００１】
本発明は、柱型を構築する際の墨出しに用いる柱型用墨出し定規に関する。
【背景技術】
【０００２】
従来、オフィスビルにおいて壁を新たに設ける際には、床と天井にランナーを取り付け、上下のランナー間に鉛直方向に延びるスタッドを配置し、スタッドを等間隔に並列することで壁の下地とすることが多い。
【０００３】
柱型においては、既存の柱から所定の間隔をおいてランナーを配置し、ランナーにスタッドを取り付けて下地とし（図１０）、新たに壁を設ける。
このとき、柱から所定の間隔をおいてランナーを配置する際には以下の（ａ）〜（ｄ）の墨出し工程を行う必要がある。
（ａ）柱や基準線から一定の間隔を計測し、床面に印をつける
（ｂ）（ａ）工程を複数回行い、一つの柱面に対して複数つけられた点を結び、床面に線を引く
（ｃ）線に合わせてスタッドを並列する
（ｄ）（ａ）〜（ｃ）の工程を柱の面数分行う
【発明の概要】
【発明が解決しようとする課題】
【０００４】
従来の柱型の構築方法においては、以下のような問題がある。
（１）一つの柱面で複数回計測を行う必要があり、作業に時間がかかる。
（２）さらに柱の面数分、同様の計測を行う必要があり、作業に時間がかかる。
（３）計測回数が多くなるため、計測ミスの確率も高くなる。
【０００５】
本発明は、柱型の構築において、誰でも容易に墨出し作業を行うことができる、柱型用墨出し定規を提供することを目的とする。
【課題を解決するための手段】
【０００６】
上記目的を達成するためになされた本願の第１発明は、柱型を構築する際の墨出しに用いる柱型用墨出し定規であって、並列定規と、二重並列定規と、を組み合わせてなり、前記並列定規及び前記二重並列定規は、それぞれ、一対の帯状の平行フレームと、前記平行フレームの両端に設ける一対の間隔保持材と、からなり、前記並列定規は、一対の前記平行フレームに沿って摺動可能なスライダーを有し、前記スライダーには、前記並列定規の前記平行フレームと直交し、前記二重並列定規の前記平行フレームと嵌合可能な嵌合溝を有することを特徴とする、柱型用墨出し定規を提供する。
本願の第２発明は、第１発明の柱型用墨出し定規において、前記二重並列定規の前記平行フレームは、それぞれ逆方向に撓ませることができる長尺の部材を重合して構成することを特徴とする、柱型用墨出し定規を提供する。
本願の第３発明は、第２発明の柱型用墨出し定規において、前記スライダーの前記嵌合溝は、前記スライダーの上面と下面に対称に設けることを特徴とする、柱型用墨出し定規を提供する。
【発明の効果】
【０００７】
本発明は、上記した課題を解決するための手段により、次のような効果の少なくとも一つを得ることができる。
（１）並列定規、二重並列定規を組み合わせて配置するだけであり、容易に配置できる。
（２）二重並列定規の平行フレームを撓ませてスライダーの嵌合溝に嵌合するだけであり、誰でも容易にかつ迅速に嵌合できる。
（３）スライダーの嵌合溝に二重並列定規を嵌合するだけで、容易に並列定規の平行フレームと、二重並列定規の平行フレームが直交する。
（４）柱の三面に対して、一体となった並列定規及び二重並列定規に沿って線を引くため、誰でも容易に、隣り合う面が直角となる柱型の墨出しを行うことができる。また、計測が不要であり、作業時間が短くなり、計測ミスのおそれもない。
【図面の簡単な説明】
【０００８】
【図１】柱型用墨出し定規の斜視図
【図２】並列定規の斜視図
【図３】スライダーの斜視図
【図４】スライダーの分解斜視図
【図５】スライダーと二重並列定規の嵌合の説明図
【図６】柱型用墨出し定規を用いた墨出し方法の説明図（１）
【図７】柱型用墨出し定規を用いた墨出し方法の説明図（２）
【図８】柱型用墨出し定規を用いた墨出し方法の説明図（３）
【図９】柱型用墨出し定規を用いた墨出し方法の説明図（４）
【図１０】柱型の下地の説明図
【発明を実施するための形態】
【０００９】
以下、図面を参照しながら本発明の実施の形態について説明する。
【００１０】
［１］柱型用墨出し定規の構成
＜１＞全体構成
本発明の柱型用墨出し定規は、柱型構築時に墨出しを行うためのものである。
柱型墨出し用定規は、並列定規１と、並列定規１に取り付けたスライダー２と、二重並列定規３と、からなる（図１）。
【００１１】
＜２＞並列定規
並列定規１は、平行に配置する一対の帯状の平行フレーム１１を、間隔を設けて間にスペース１２を形成した状態で、両端を間隔保持材１３によって固定したものである（図２）。
平行フレーム１１の幅は、柱と設置予定のランナーとの間隔と同一（例えば２０ｍｍ）とする。
また、スペース１２は、設置予定のランナーの幅と同一（例えば４５ｍｍ）とするのが好ましい。
間隔保持材１３は、平行フレーム１１と直交するように設けてもよい。
【００１２】
＜３＞スライダー
スライダー２は、並列定規１の平行フレーム１１に沿って摺動可能な部材である。
スライダー２は、平行フレーム１１の長さ方向と直交する嵌合溝２１を有する。
【００１３】
＜３．１＞スライダーの構成
スライダー２は、平行フレーム１１の上側に設ける、平行フレーム１１と直交する上センター片２２１、上センター片２２１の両側に、嵌合溝２１の幅を設けて配置する二つの上サイド片２２２、平行フレーム１１間のスペース１２に配置する中センター片２３１、中センター片２３１の両側に、平行フレーム１１の幅を設けて配置する二つの中サイド片２３２、平行フレーム１１の下側に、上センター片２２１、上サイド片２２２と平行に設ける下センター片２４１、下サイド片２４２、からなる（図３、４）。
スライダー２は、平行フレーム１１の上下を上センター片２２１、上サイド片２２２、下センター片２４１、下サイド片２４２により挟んだ状態となり、平行フレーム１１に沿って移動可能である。
スライダー２は、上面と下面に対称な嵌合溝２１を有する。
【００１４】
＜４＞二重並列定規
二重並列定規３は、並列定規１と同様に、平行に配置する一対の帯状の平行フレーム３１を、間隔を設けて間にスペース３２を形成した状態で、両端を間隔保持材３３によって固定したものである。
平行フレーム３１の幅は、スライダー２の嵌合溝２１と同一とする。
並列定規１と異なり、二重並列定規３は、平行フレーム３１を上下に重合して構成する（図５（ａ））。
間隔保持材３３は、平行フレーム３１と直交するように設けてもよい。
【００１５】
平行フレーム３１は長尺の金属製の部材であり、撓ませることができ、上下の平行フレーム３１をそれぞれ逆方向に撓ませて上下の平行フレーム３１間に並列定規１を通し（図５（ａ））、スライダー２の上面と下面の嵌合溝２１に平行フレーム３１を嵌合して、並列定規１と二重並列定規３を一体とすることができる（図５（ｂ））。二重並列定規３の平行フレーム３１を撓ませてスライダー２の嵌合溝２１に嵌合するだけであり、誰でも容易に嵌合できる。
二重並列定規３の平行フレーム３１は、スライダー２の上面の嵌合溝２１にのみ嵌合させてもよいが、スライダー２を挟んで上下の嵌合溝２１に嵌合することで、スライダー２を摺動させる際に二重並列定規３がずれることがない。スライダー２の上面の嵌合溝にのみ平行フレーム３１を嵌合する場合には、平行フレーム３１は上下に重合せず、並列定規１と同様の構成としてもよい。
嵌合溝２１は並列定規１の平行フレーム１１と直交するため、並列定規１と二重並列定規３を一体としたときに、並列定規１の平行フレーム１１と、二重並列定規３の平行フレーム３１は直交する。
【００１６】
［２］柱型用墨出し定規を用いた墨出し方法
次に、柱型用墨出し定規を用いた墨出し方法を説明する。
本実施例においては、側面に壁Ｗが位置する柱Ｐに対して、柱型を構築する際に、三面のランナーの位置を墨出しする場合について説明する。
本実施例の柱Ｐの三面は、隣り合う面が直交しておらず、両側の壁Ｗは同一平面上であり、柱Ｐの側面は壁Ｗに対して直交していない。
【００１７】
＜１＞並列定規の配置
まず、二つの並列定規１を、柱Ｐの対向する二面に沿って床面に配置する。
並列定規１の平行フレーム１１と間隔保持材１３が直交する場合であって、本実施例のように壁Ｗが同一平面上にある場合には、間隔保持材１３を壁Ｗに当接して配置することにより、二つの並列定規１を平行に配置できる。
このとき、スライダー２は対向する柱Ｐの、並列定規１を配置した二面と交わる面よりも手前にスライドしておく。
【００１８】
＜２＞二重並列定規の嵌合
次に、並列定規１のスライダー２の嵌合溝２１に二重並列定規３を嵌合して組み合わせる。
二重並列定規３の平行フレーム３１を撓ませてスライダー２の嵌合溝２１に嵌合するだけであり、現場でも迅速に嵌合できる。
スライダー２の嵌合溝２１は、並列定規１の平行フレーム１１と直交しており、嵌合した二重並列定規３の平行フレーム３と、並列定規１の平行フレーム１１は直交する。
二重並列定規３の平行フレーム３１を撓ませてスライダー２の嵌合溝２１に嵌合するだけであり、誰でも容易に嵌合して、並列定規１と二重並列定規３を組み合わせることができる。
【００１９】
＜３＞二重並列定規のスライド
そして、スライダー２と、スライダー２に嵌合した二重並列定規３を一緒にスライドし、二重並列定規３を柱Ｐの柱面に対して所定の位置に配置する。
二重並列定規３はスライダー２の上下の嵌合溝２１に嵌合してあるため、ずれることなく、誰でも容易に床面に沿ってスライドできる。
【００２０】
＜４＞墨出し
柱Ｐの対向する二面に沿って並列定規１が位置し、二面と交わる面に沿って二重並列定規３が位置する。
そして、並列定規１と二重並列定規３のスペース１２、３２の内側の平行フレーム１１、３１に沿った辺に線Ｌ１を引き、スペース１２、３２の外側の平行フレーム１１、３１に沿った辺に線Ｌ２を引く。並列定規１の平行フレーム１１と、二重並列定規３の平行フレーム３１は直交するため、柱Ｐを包囲する線Ｌ１と線Ｌ２は、隣り合う位置にある線が直交する。
柱Ｐの三面に沿って配置して一体となった並列定規１及び二重並列定規３に沿って線を引くため、並列定規１及び二重並列定規３がずれることなく、誰でも容易に、直交する線を引くことができる。また、計測が不要であり、作業時間が短くなり、計測ミスのおそれもない。
【００２１】
＜５＞ライナーの配置
並列定規１と二重並列定規３を撤去すると、柱Ｐの表面から所定の間隔をおいてＬ１とＬ２が引かれている。
並列定規１又は二重並列定規を柱Ｐに接触させた場合、柱ＰとＬ１の間隔は、並列定規１又は二重並列定規３の平行フレーム１１、３１の幅となる。
そして、Ｌ１とＬ２の間隔は、設置予定のランナーの幅と同一である。
よって、Ｌ１とＬ２に合わせてランナーを配置することで、設置予定箇所に容易にランナーを配置される。
Ｌ１とＬ２の２本の線に合わせるだけで、誰でも容易にランナーを所定の位置に配置できる。
線Ｌ１と線Ｌ２は、隣り合う位置にある線が直交するため、隣り合う面が直角となる三面の柱型を構築することができる。
【００２２】
［その他の実施例］
上述の実施例では、２本の並列定規１と二重並列定規３を用いることで、一度に三面の柱面に対しての墨出しを行ったが、１本の並列定規１と二重並列定規３を組み合わせることで直交する二面の柱型の墨出しを行うことができる。
【符号の説明】
【００２３】
１…並列定規、１１…平行フレーム、１２…スペース、１３…間隔保持材
２…スライダー、２１…嵌合溝、２２１…上センター片、２２２…上サイド片、２３１…中センター片、２３２…中サイド片、２４１…下センター片、２４２…下サイド片
３…二重並列定規、３１…平行フレーム、３２…スペース、３３…間隔保持材
【図１】
2020093329.tif 000003
【図２】
2020093329.tif 000004
【図３】
2020093329.tif 000005
【図４】
2020093329.tif 000006
【図５】
2020093329.tif 000007
【図６】
2020093329.tif 000008
【図７】
2020093329.tif 000009
【図８】
2020093329.tif 000010
【図９】
2020093329.tif 000011
【図１０】
2020093329.tif 000012